(57)【特許請求の範囲】
【請求項１】
移動機との間で無線通信を行う基地局であって、
第１の基地局からハンドオーバを要求された場合に、前記移動機から再接続要求信号を受信した後に、該移動機を特定する際に使用すべき再接続設定情報を生成する再接続設定情報生成部と、
該再接続設定情報生成部により生成された再接続要求信号を前記第１の基地局に送信する送信部と、
前記移動機をハンドオーバさせるべき第２の基地局から、該第２の基地局が前記移動機から再接続要求信号を受信した後に、該移動機を特定する際に使用すべき再接続設定情報を受信する受信部と、
該受信部により受信された再接続設定情報を保持する再接続設定情報保持部と、
前記第２の基地局との間で初回接続処理後の前記移動機からの再接続要求信号に従って、前記再接続設定情報保持部に保持された再接続設定情報を利用して、前記移動機との間で再接続処理を行う再接続処理部と
を有する基地局。
【請求項２】
請求項１に記載の基地局において、
前記第２の基地局は、前記再接続設定情報を含むハンドオーバ要求応答信号を送信し、
当該基地局は、
前記受信部により受信されたハンドオーバ要求応答信号に含まれる前記再接続設定情報を取得する再接続設定情報取得部
を有し、
前記再接続設定情報保持部は、前記再接続設定情報取得部により取得された再接続設定情報を保持する基地局。
【請求項３】
請求項１又は２に記載の基地局において、
前記再接続設定情報には、前記第２の基地局のセルIDと、前記第２の基地局が前記移動機に割り当てた識別子と、前記第２の基地局が前記移動機を識別するための識別情報とが含まれる基地局。
【請求項４】
請求項１ないし３のいずれか１項に記載の基地局において、
前記移動機は、当該基地局に、前記第２の基地局のセルIDと、前記第２の基地局により割り当てられた識別子と、前記第２の基地局が当該移動機を識別するための識別情報とを含む再接続要求信号を送信し、
前記再接続処理部は、前記第２の基地局のセルIDと、前記識別子と、前記識別情報とが正しい場合に、再接続処理を行う基地局。
【請求項５】
移動機との間で無線通信を行う基地局における方法であって、
前記移動機をハンドオーバさせるべき他の基地局から、該他の基地局が前記移動機から再接続要求信号を受信した後に、該移動機を特定する際に使用すべき再接続設定情報を受信する受信ステップと、
該受信ステップにより受信された再接続設定情報を保持する再接続設定情報保持ステップと、
前記他の基地局との間で初回接続処理後の前記移動機からの再接続要求信号に従って、前記再接続設定情報保持ステップにより保持された再接続設定情報を利用して、前記移動機との間で再接続処理を行う再接続処理ステップと、
前記移動局をハンドオーバさせるためのハンドオーバ要求信号に従って設定した前記移動機との間で再接続処理を行う際に使用する再接続設定情報を、該ハンドオーバ要求信号送信した基地局に送信する再接続設定情報送信ステップと
を有する方法。
【発明の詳細な説明】
【技術分野】
【０００１】
本発明は、無線通信システムに関する。
【背景技術】
【０００２】
LTE(Long Term Evolution)は、W-CDMA(Wideband-Code Division Multiple Access)の標準化団体3GPP(3rd Generation Partnership Project)にて、仕様が作成されている。LTEは、W-CDMAの拡張技術であるHSPA(High Speed Packet Access)から更に発展した標準規格である。LTEでは、下りリンクにおいて100Mbps以上、上りリンクにおいて50Mbps以上の高速通信が実現され、遅延の改善や周波数の利用効率向上などが図られる。
【０００３】
該仕様には、LTEにより無線通信を行う基地局(eNB: evolved Node B)間で移動機が無線回線を切り替えるためのハンドオーバが規定されている。該LTEにより無線通信を行う基地局間でのハンドオーバは、Inter-eNBハンドオーバとも呼ばれる。また、移動機が一時的に無線品質の劣化を検出した際に、再発信を行うことなく通信を継続するための再接続処理も規定されている。
【先行技術文献】
【非特許文献】
【０００４】
【非特許文献１】TS36.331 V9.1.0 2009 12
【発明の概要】
【発明が解決しようとする課題】
【０００５】
Inter-eNBハンドオーバが実行される場合、移動機(UE: User Equipment)は、無線品質の測定を行い、無線通信中の基地局へ他の基地局の品質が良いことを通知し、他の基地局へ無線回線の切替え処理を行う。該基地局、及び他の基地局は、同様の無線通信方式により通信を行うものであってもよい。該無線通信方式は、LTEであってもよい。該基地局は、ソース基地局(S-eNB: Source eNodeB)と呼ばれることもある。また、他の基地局は、ターゲット基地局(T-eNB: Target eNodeB)と呼ばれることもある。
【０００６】
Inter-eNBハンドオーバ手順中、移動機とソース基地局との間は、ソース基地局が該移動局との間の再接続のために設定した情報（以下、「ソース基地局再接続設定情報」と呼ぶ）を保持していることから再接続が可能となる。一方、移動機とターゲット基地局との間は、ソース基地局からInter-eNBハンドオーバ手順中にソース基地局から受領したソース基地局再接続設定情報及びターゲット基地局が該移動機との間の再接続のために設定した情報（以下、「ターゲット基地局再接続設定情報」と呼ぶ）により再接続が可能となる。Inter-eNBハンドオーバ手順の際に、無線品質劣化により移動機が再接続を実施する可能性があるため、ソース基地局は、ターゲット基地局に、ソース基地局再接続設定情報を通知する。ターゲット基地局にソース基地局再接続設定情報を通知するため、移動機は、ターゲット基地局との間でInter-eNBハンドオーバ手順による初回接続前であっても、ソース基地局再接続設定情報により、ターゲット基地局と再接続が可能となる。
【０００７】
再接続処理を実施する際には、移動機は基地局に対して、再接続が発生する前に通信していた基地局により設定されていた情報を通知しなければならない。該移動機からの通知を受信した基地局は、該通知された情報が正しいかどうかを判定する。該判定結果に基づいて、基地局は、再接続を受け付けるかどうかを判定する。
【０００８】
Inter-eNBハンドオーバ手順において、ターゲット基地局でハンドオーバ準備が完了した後、移動機は、ソース基地局からハンドオーバ指示信号を受信する。該ハンドオーバ指示信号は、ターゲット基地局へのハンドオーバを指示するための信号であってもよい。該移動機は、ターゲット基地局との間で初回接続が完了した後は、該ターゲット基地局再接続設定情報を適用する。該初回接続には、ランダムアクセスチャネル(RACH: Random Access Channel)手順が含まれる。換言すれば、移動機は、初回接続が完了する前に再接続要求を通知する場合はソース基地局再接続設定情報を適用し、初回接続が完了した後に再接続要求を通知する場合はターゲット基地局再接続設定情報を適用する。
【０００９】
該移動機がターゲット基地局再接続設定情報を適用した後、該ターゲット基地局に、ハンドオーバ完了信号を送信する。しかし、該移動機がターゲット基地局再接続設定情報を適用した後に、無線品質が劣化した場合には、該ハンドオーバ完了信号がターゲット基地局で受信されないこともある。
【００１０】
この場合、該移動機は再接続を実施する必要があると判断し、再接続を行うためのセル選択を実施する。該セル選択の結果、ソース基地局が選択されることもある。ソース基地局が選択された場合には、該移動機は、ソース基地局との間で初回接続を実施し、該ソース基地局に、再接続要求信号を送信する。しかし、該ソース基地局は、ターゲット基地局再接続設定情報を用意できないため、該移動機と接続することができない。従って、該移動機は、再接続失敗となる。
【００１１】
そこで、本発明は上述した問題点に鑑みてなされたものであり、その目的は、ハンドオーバ手順中に、他の基地局と移動機との間で初回接続が完了した後であっても、該移動機と再接続することができる基地局及び方法を提供することにある。
【課題を解決するための手段】
【００１２】
本基地局は、
移動機との間で無線通信を行う基地局であって、
第１の基地局からハンドオーバを要求された場合に、前記移動機から再接続要求信号を受信した後に、該移動機を特定する際に使用すべき再接続設定情報を生成する再接続設定情報生成部と、
該再接続設定情報生成部より生成された再接続設定情報を前記第１の基地局に送信する送信部と、
前記移動機をハンドオーバさせるべき第２の基地局から、該第２の基地局が前記移動機から再接続要求信号を受信した後に、該移動機を特定する際に使用すべき再接続設定情報を受信する受信部と、
該受信部により受信された再接続設定情報を保持する再接続設定情報保持部と、
前記第２の基地局との間で初回接続処理後の前記移動機からの再接続要求信号に従って、前記再接続設定情報保持部に保持された再接続設定情報を利用して、前記移動機との間で再接続処理を行う再接続処理部と、
を有する。
【００１３】
本方法は、
移動機との間で無線通信を行う基地局における方法であって、
前記移動機をハンドオーバさせるべき他の基地局から、該他の基地局が前記移動機から再接続要求信号を受信した後に、該移動機を特定する際に使用すべき再接続設定情報を受信する受信ステップと、
該受信ステップにより受信された再接続設定情報を保持する再接続設定情報保持ステップと、
前記他の基地局との間で初回接続処理後の前記移動機からの再接続要求信号に従って、前記再接続設定情報保持ステップにより保持された再接続設定情報を利用して、前記移動機との間で再接続処理を行う再接続処理ステップと、
前記移動局をハンドオーバさせるためのハンドオーバ要求信号に従って設定した前記移動機との間で再接続処理を行う際に使用する再接続設定情報を、該ハンドオーバ要求信号送信した基地局に送信する再接続設定情報送信ステップと
を有する。
【発明の効果】
【００１４】
開示の基地局及び方法によれば、ハンドオーバ手順中に、他の基地局と移動機との間で初回接続が完了した後であっても、該移動機と再接続することができる。
【図面の簡単な説明】
【００１５】
【図１】本実施例に従った基地局が適用される環境を示す説明図である。
【図２】本実施例に従った基地局を示す機能ブロック図である。
【図３】本実施例に従った基地局を示す機能ブロック図である。
【図４】本実施例に従った基地局の動作を説明するためのシーケンスチャートである。
【図５】本実施例に従った基地局を示す機能ブロック図である。
【図６】本実施例に従った基地局の動作を説明するためのシーケンスチャートである。
【発明を実施するための形態】
【００１６】
次に、本発明を実施するための形態を、以下の実施例に基づき図面を参照しつつ説明する。
なお、実施例を説明するための全図において、同一機能を有するものは同一符号を用い、繰り返しの説明は省略する。
【００１７】
＜実施例＞
＜無線通信システム＞
本実施例に従った基地局が適用される環境について説明する。
【００１８】
本基地局が適用される環境は、複数の移動体通信システムが混在する環境であってもよい。該移動体通信システムには、Evolved UTRA and UTRAN方式の移動体通信システムが含まれる。Evolved UTRAN and UTRAN方式の移動体通信システムは、LTEとも呼ばれる。さらに、W-CDMA方式の移動体通信システムが含まれてもよい。
【００１９】
基地局によりカバーされるエリアには、１又は複数のセルが含まれる。該複数のセルには、同一周波数帯で無線通信可能なセルが存在する。該同一周波数帯で無線通信可能なセルは周波数レイヤと呼ばれてもよい。
【００２０】
図１は、本基地局が適用される環境の一例を示す模式図である。図１には、一例として、LTE方式に従った基地局３００ｎ（ｎは、ｎ＞１の整数）と、該基地局３００ｎによりカバーされるエリアが示される。該エリアには、移動機１００との間で無線通信可能なセル３５０ｎが含まれる。該エリアには、該移動機１００との間の無線通信に使用される周波数帯とは異なる他の周波数帯で無線通信可能なセルが含まれてもよい。また、基地局３００ｎとは異なる他の基地局（図示なし）によりカバーされるセルが混在していてもよい。また、LTEとは異なる他の無線アクセステクノロジにより無線通信可能なセルが混在していてもよい。該他の無線アクセステクノロジには、W-CDMAが含まれてもよい。
【００２１】
本基地局３００ｎは、モビリティマネジメントエンティティ(MME: Mobility Management Entity)５００ｍ（ｍは、ｍ＞０の整数）と接続される。該MMEは交換局により実現されてもよい。MME５００ｍは、コアネットワーク７００と接続される。
【００２２】
図１には、一例として、３の基地局が示される。また、図１には、２のMMEが示される。基地局３００１、及び３００２は、MME５００１と接続される。基地局３００３は、MME５００２と接続される。
【００２３】
移動機１００は無線品質測定を行っており、他の基地局の無線品質がよいと判断した場合、通信中の基地局に「測定結果報告信号」を送信する。該基地局は、「測定結果報告信号」を受信すると、該「測定結果報告信号」に含まれる測定結果に基づいて、ハンドオーバ先の候補となる基地局に、「ハンドオーバ要求信号」を送信する。本実施例では、一例として、基地局３００１から、基地局３００２に、移動機がハンドオーバするように設定される場合について説明する。基地局３００１から、基地局３００２へのハンドオーバでは、基地局３００１、及び基地局３００２は、同じMME５００１と接続されるため、MMEを跨いだハンドオーバは行われない。同じMMEに接続される基地局間のハンドオーバは、Ｘ２ハンドオーバとも呼ばれる。以下、基地局３００１を「ソース基地局３００１」と呼び、基地局３００２を「ターゲット基地局３００２」と呼ぶこともある。
【００２４】
ターゲット基地局３００２は、ソース基地局３００１から「ハンドオーバ要求信号」を受信すると、移動機１００からの再接続を受け付けるための設定情報（ターゲット基地局再接続設定情報）を生成する。
【００２５】
該ターゲット基地局３００２は、ソース基地局３００１に、「ハンドオーバ要求応答信号」を送信する。該「ハンドオーバ要求応答信号」には、ターゲット基地局再接続設定情報が含まれる。該ターゲット基地局３００２は、ソース基地局３００１に、ターゲット基地局再接続設定情報を送信するようにしてもよい。
【００２６】
ソース基地局３００１は、ターゲット基地局３００２から「ハンドオーバ要求応答信号」を受信すると、該「ハンドオーバ要求応答信号」からターゲット基地局再接続設定情報を取得し、保持する。
【００２７】
移動機１００とターゲット基地局３００２との間で初回接続が完了する。該初回接続は、初期接続と呼ばれてもよい。該初回接続が完了した後に、該移動機１００は、無線品質が劣化したことを検出し、再接続処理を開始する。無線品質が劣化した場合、移動機１００がターゲット基地局３００２に「ハンドオーバ完了信号」を送信しても、該「ハンドオーバ完了信号」がターゲット基地局３００２に受信されないこともある。該「ハンドオーバ完了信号」は、「RRCコネクションリコンフィグレーションコンプリート(RRC Connection Reconfiguration Complete)」とも呼ばれる。該移動機１００は、再接続処理が可能となるセルの選択を実施する。該セル選択の結果、ソース基地局３００１を最適なセルと判断する。該移動機１００は、ソース基地局３００１に、「再接続要求信号」を送信する。該「再接続要求信号」には、ターゲット基地局再接続設定情報が含まれる。移動機１００とターゲット基地局３００２の間で初回接続が完了しているためである。
【００２８】
該ソース基地局３００１は、「再接続要求信号」に含まれるターゲット基地局再接続設定情報と、保持しているターゲット基地局再接続設定情報とを比較し、該比較結果に応じて処理を行う。該ソース基地局３００１は、「再接続要求信号」に含まれるターゲット基地局再接続設定情報が正しいと判定した場合、再接続処理を行う。ソース基地局３００１はターゲット基地局再接続設定情報を保持しているため、該ターゲット基地局再接続設定情報を利用して、再接続を実行することができる。
【００２９】
ターゲット基地局３００２からソース基地局３００１にターゲット基地局再接続設定情報を通知することにより、ソース基地局３００１は、該ターゲット基地局再接続設定情報を保持できる。該ソース基地局３００１が該ターゲット基地局再接続設定情報を保持できるため、移動機１００は、ターゲット基地局３００２との間で、初回接続が完了した場合であっても、ソース基地局３００１との間で再接続を行うことができる。
【００３０】
本実施例に従った移動機は、LTE方式により無線通信が可能である。該LTE方式により無線通信を行うことができる移動機１００は、W-CDMA方式により無線通信を行うことができるものであってもよい。換言すれば、移動機１００は、デュアルモード端末であってもよい。デュアルモード端末は、既存の移動体通信システム、例えばW-CDMA方式と、新たに導入される移動体通信システム、例えばLTE方式により通信を行うことができる。
【００３１】
＜基地局＞
本基地局３００ｎは、MME５００ｍと接続される。MME５００ｍは、コアネットワーク７００と接続される。本基地局３００ｎは、セル３５０ｎをカバーする。移動機１００は、セル３５０ｎにおいて本基地局３００ｎとEvolved  UTRA  and  UTRAN方式により通信を行う。MMEは、サービングゲートウェイ(SGW: Serving GateWay)とともに実現されてもよい。MME/S-GWは、アクセスゲートウェイと呼ばれることもある。本基地局３００ｎは、エヴォルブドパケットコア(EPC: Evolved Packet Core)（図示なし）と接続されてもよい。
【００３２】
MME/SGWに１台の基地局が接続されてもよいし、複数の基地局が接続されてもよい。
【００３３】
図２は、本実施例に従った基地局３００ｎを示す。
【００３４】
本基地局３００ｎは、下りリンク信号受信部３０２を有する。該下りリンク信号受信部３０２は、上位の装置、例えば、MMEにより送信された下りリンクの信号を受信する。該下りリンクの信号には、他の移動機により送信され、該他の移動機と無線通信を行う基地局からMMEを介して受信される下りリンクの信号が含まれる。当該基地局３００ｎと接続されるMMEと異なる他のMMEから当該MMEに送信される下りリンクの信号であってもよい。また、下りリンク信号受信部３０２は、他の基地局、例えば、同じMMEに接続される他の基地局により送信された下りリンクの信号を受信する。下りリンク信号受信部３０２は、受信した下りリンクの信号を制御部３０６に入力する。
【００３５】
また、該下りリンクの信号には、当該基地局３００ｎが、他の基地局に、「ハンドオーバ要求信号(Handover Request)」を送信した後に、該他の基地局から送信された「ハンドオーバ要求応答信号(Handover Request Acknowledge)」が含まれる。該「ハンドオーバ要求応答信号」には、ターゲット基地局再接続設定情報が含まれる。該ターゲット基地局再接続設定情報は、ターゲット基地局で再接続要求を受け付けるための情報である。
【００３６】
該ターゲット基地局で再接続要求を受け付けるための情報には、セル-無線ネットワークテンポラリーID(C-RNTI: Cell- Radio Network Temporary Identifier)が含まれる。該C-RNTIは、当該ターゲット基地局のセルで、移動機に割り当てられたIDである。また、該ターゲット基地局で再接続要求を受け付けるための情報には、物理セルID(PCI: Physical Cell ID)が含まれる。該PCIは、当該ターゲット基地局のセルIDである。また、該ターゲット基地局で再接続要求を受け付けるための情報には、ショート MAC-I(Short MAC-I)が含まれる。該Short MAC-Iは、移動機と、当該基地局との間の通信の完全性を保護するためのインテグリティプロテクション(Integrity Protection)機能をベースに算出されたデータ列である。該データ列により、移動機(ユーザ)を識別し、特定することができる。例えば、該移動機を特定するためのデータ列は、メッセージオーセンティケーションコード(MAC: Message Authentication Code)を用いて生成される。該Short MAC-Iは、該MACの所定のビットが設定される。例えば、LSB(Least Significant Bit)16ビットが設定されてもよい。該Short MAC-Iは、再接続を行うセルのIDと、C-RNTIと、PCIに基づいて計算される。
【００３７】
本基地局３００ｎは、上りリンク信号受信部３１４を有する。該上りリンク信号受信部３１４は、移動機１００により送信された無線信号を受信する。
【００３８】
該無線信号には、測定結果報告信号が含まれる。該測定結果報告信号は、メジャメントレポート(Measurement Report)とも呼ばれる。該測定結果報告信号には、所定の周波数の受信レベル、受信品質を示す情報が含まれる。該所定の周波数には、当該移動機が接続しているサービングセルの周波数、該サービングセルの周波数とは異なる周波数が含まれる。また、該所定の周波数には、LTEとは異なる無線アクセステクノロジ(RAT: Radio Access Technology)の周波数が含まれてもよい。該無線アクセステクノロジには、W-CDMA方式による移動体通信システムが含まれてもよい。LTEとは異なる無線アクセステクノロジ(RAT: Radio Access Technology)の周波数帯は、LTEと同じ周波数帯であってもよいし、異なる周波数帯であってもよい。
【００３９】
該無線信号には、移動機１００により送信された「初回接続要求信号」が含まれる。該「初回接続要求信号」は、「ランダムアクセスチャネルプリアンブル(RACH(Random Access Channel) Preamble)」とも呼ばれる。該無線信号には、当該基地局３００ｎが「初回接続要求信号」に対する「初回接続応答信号」を送信した後に、該移動機１００により送信される「再接続要求信号」が含まれる。該「初回接続応答信号」は、ランダムアクセスチャネルレスポンス(RACH Response)とも呼ばれる。該「再接続要求信号」は、「RRCコネクションリエスタブリッシュメントリクエスト(RRC Connection Re-establishment Request)」とも呼ばれる。上りリンク信号受信部３１４は、受信した上りリンクの信号を制御部３０６に入力する。
【００４０】
本基地局３００ｎは、設定情報管理部３１０を有する。該設定情報管理部３１０は、制御部３０６と接続される。該設定情報管理部３１０は、移動機１００からの再接続要求を受け付けるための設定情報を管理する。該設定情報には、ソース基地局再接続設定情報と、ターゲット基地局再接続設定情報とが含まれる。
【００４１】
本基地局３００ｎは、制御部３０６を有する。制御部３０６は、下りリンク信号受信部３０２と、上りリンク信号受信部３１４と、指示部３０８と、設定情報管理部３１０と接続される。制御部３０６は、下りリンク信号受信部３０２により入力された下りリンクの信号を宛先の移動機に送信するように、指示部３０８に命令する。制御部３０６は、上りリンク信号受信部３１４により入力された上りリンクの信号を宛先の移動機に送信するために、該宛先の移動機と接続しているMMEもしくは基地局に送信するように、指示部３０８に命令する。
【００４２】
図３は、制御部３０６の機能を示す。
【００４３】
制御部３０６は、ハンドオーバ実行判定部３０６２を有する。該ハンドオーバ実行判定部３０６２は、上りリンク信号受信部３１４と、指示部３０８と接続される。ハンドオーバ実行判定部３０６２には、上りリンク信号受信部３１４から「測定結果報告信号」が入力される。ハンドオーバ実行判定部３０６２は、上りリンク信号受信部３１４により入力された「測定結果報告信号」に含まれる周波数測定結果に基づいて、移動機１００をハンドオーバさせるべきかどうかを判定する。ハンドオーバ実行判定部３０６２は、移動機１００をハンドオーバさせるべきであると判定した場合、指示部３０８に、「ハンドオーバ要求信号」を送信するように命令する。該「ハンドオーバ要求信号」は、ハンドオーバ先の基地局の候補に送信される。
【００４４】
制御部３０６は、ターゲット基地局再接続設定情報取得部３０６４を有する。該ターゲット基地局再接続設定情報取得部３０６４は、下りリンク信号受信部３０２と、設定情報管理部３１０と接続される。ターゲット基地局再接続設定情報取得部３０６４には、下りリンク信号受信部３０２から「ハンドオーバ要求応答信号」が入力される。該「ハンドオーバ要求応答信号」は、「ハンドオーバ要求信号」に対する応答である。該「ハンドオーバ要求応答信号」には、ターゲット基地局再接続設定情報が含まれる。ターゲット基地局再接続設定情報取得部３０６４は、「ハンドオーバ要求応答信号」に含まれるターゲット基地局再接続設定情報を取得し、設定情報管理部３１０に格納する。ターゲット基地局再接続設定情報取得部３０６４は、設定情報管理部３１０にターゲット基地局再接続設定情報を格納した後、指示部３０８に、移動機１００に「ハンドオーバ指示信号」を送信してもよいことを通知する。該「ハンドオーバ指示信号」は、「RRCコネクションリコンフィグレーション(RRC Connection Reconfiguration)」とも呼ばれる。
【００４５】
制御部３０６は、接続処理部３０６６を有する。該接続処理部３０６６は上りリンク信号受信部３１４と、指示部３０８と接続される。該接続処理部３０６６には、上りリンク信号受信部３１４から、「初回接続要求信号」が入力される。該接続処理部３０６６には、上りリンク信号受信部３１４から、「再接続要求信号」が入力される。
【００４６】
該接続処理部３０６６は、上りリンク信号受信部３１４により入力された「初回接続要求信号」に従って、接続処理を行う。該接続処理部３０６６は、該接続処理の終了後に、「初回接続応答信号」を送信するように、指示部３０８に命令する。該「初回接続応答信号」を受信した移動機１００は、該「初回接続応答信号」を送信した基地局に「再接続要求信号」を無線送信する。
【００４７】
該接続処理部３０６６は、上りリンク信号受信部３１４により入力された「再接続要求信号」に基づいて、再接続処理を行う。例えば、移動機１００は、ソース基地局３００１から「ハンドオーバ指示信号」を受信し、ターゲット基地局３００２との間で初回接続処理の終了後、ターゲット基地局再接続設定情報を適用する。従って、ターゲット基地局３００２との間で初回接続処理の終了後、該移動機１００により送信される「再接続要求信号」には、ターゲット基地局再接続設定情報が含まれる。移動機１００は、ターゲット基地局再接続設定情報を適用した後に、無線品質が悪くなった場合、再接続処理を開始し、再接続を行うためのセル選択を実行する。該セル選択の結果、ソース基地局３００１と接続すべきと判定した場合、該移動機１００は、ソース基地局３００１に、「初回接続要求信号」を送信し、該「初回接続要求信号」の応答として、「初回接続応答信号」を受信する。該「初回接続応答信号」の受信後に、該移動機１００は、ソース基地局３００１に、「再接続要求信号」を送信する。該「再接続要求信号」には、ターゲット基地局再接続設定情報が含まれる。
【００４８】
該接続処理部３０６６は、移動機１００からの「再接続要求信号」に従って、設定情報管理部３１０に格納された再接続設定情報を利用して、該移動機との間で再接続処理を行う。例えば、接続処理部３０６６は、「再接続要求信号」に含まれる再接続設定情報が正しいかどうかを判定する。接続処理部３０６６は、「再接続要求信号」に含まれる再接続設定情報が正しいと判定した場合には再接続処理を行う。再接続設定情報が正しいと判定した場合には、移動機を特定できるためである。一方、接続処理部３０６６は、「再接続要求信号」に含まれる再接続設定情報が正しいと判定しない場合、換言すれば誤りと判定した場合には再接続処理を行わない。再接続設定情報が誤りと判定した場合には、移動機を特定できないためである。再接続処理を行わない場合には、再接続失敗となり、該呼は呼損をなる。
【００４９】
設定情報管理部３１０には、ターゲット基地局再接続設定情報が格納されている。従って、該移動機１００が、ターゲット基地局再接続設定情報を適用した後に、ソース基地局３００１に再接続要求信号を送信した場合でも、設定情報管理部３１０に格納されたターゲット基地局再接続設定情報を利用して、「再接続要求信号」に含まれ再接続設定情報が正しいかどうかを判定できる。
【００５０】
接続処理部３０６６は、再接続設定情報が正しいと判定した場合には再接続を受け付け、再接続設定情報が誤りと判定した場合には再接続を拒否する。再接続を受け付けると判定した場合、接続処理部３０６６は、再接続処理を行う。該接続処理部３０６６は、再接続処理後、「再接続要求応答信号」を送信するように、指示部３０８に命令する。また、接続処理部３０６６は、上りリンク信号受信部３１４により入力されるべき「再接続完了信号」に基づいて、再接続処理を完了する。
【００５１】
制御部３０６は、ハンドオーバ処理部３０６８を有する。該ハンドオーバ処理部３０６８は、下りリンク信号受信部３０２と、指示部３０８と接続される。ハンドオーバ処理部３０６には、下りリンク受信部３０２から「ハンドオーバ要求信号」が入力される。ハンドオーバ処理部３０６８は、下りリンク受信部３０２から「ハンドオーバ要求信号」が入力されると、当該基地局の設定情報(Configuration)に基づいて、ターゲット基地局再接続設定情報を生成する。ハンドオーバ処理部３０６８は、該ターゲット基地局再接続設定情報をソース基地局に通知する。例えば、ハンドオーバ要求信号に対する応答信号である「ハンドオーバ要求応答信号」に含めて、ソース基地局に通知するようにしてもよい。「ハンドオーバ要求応答信号」に含めてターゲット基地局再接続設定情報を通知する場合、「ハンドオーバ要求応答信号」には、新規の情報要素(IE: Information Element)として、該ターゲット基地局再接続設定情報を格納できる領域が用意されてもよい。ハンドオーバ処理部３０６８は、指示部３０８に、ターゲット基地局再接続設定情報を含む「ハンドオーバ要求応答信号」を送信するように指示する。
【００５２】
本基地局３００ｎは、指示部３０８を有する。指示部３０８は、制御部３０６と、下りリンク信号送信部３１２と、上りリンク信号送信部３０４と接続される。
【００５３】
指示部３０８は、制御部３０６による命令に従って、上りリンクの信号を送信する指示を行う。例えば、指示部３０８は、制御部３０６による命令に従って、上りリンク信号受信部３１４からの上りリンクの信号を、MMEに送信するように、上りリンク信号送信部３０４に指示する。
【００５４】
また、指示部３０８は、制御部３０６による命令に従って、下りリンクの信号を送信する指示を行う。例えば、指示部３０８は、制御部３０６による命令に従って、下りリンク信号受信部３０２からの下りリンクの信号を、移動機１００に送信するように、下りリンク信号送信部３１２に指示する。
【００５５】
また、指示部３０８は、制御部３０６による命令に従って、上りリンクの信号を送信する指示を行う。例えば、指示部３０８は、ハンドオーバ実行判定部３０６２による命令に従って、「ハンドオーバ要求信号」、及びハンドオーバ処理部３０６８による命令に従って、「ハンドオーバ要求応答信号」を、他の基地局に送信するように、上りリンク信号送信部３０４に指示する。
【００５６】
また、指示部３０８は、制御部３０６による命令に従って、下りリンクの信号を送信する指示を行う。例えば、指示部３０８は、ターゲット基地局再接続設定情報取得部３０６４による命令に従って、「ハンドオーバ指示信号」、及び接続処理部３０６６による命令に従って、「初回接続応答信号」を、移動機１００に送信するように、下りリンク信号送信部３１２に指示する。また、例えば、指示部３０８は接続処理部３０６６による命令に従って、「再接続要求応答信号」を、移動機１００に送信するように、下りリンク信号送信部３１２に指示する。
【００５７】
本基地局３００ｎは、上りリンク信号送信部３０４を有する。上りリンク信号送信部３０４は、指示部３０８と接続される。上りリンク信号送信部３０４は、指示部３０８による指示に従って、上りリンクの信号を送信する。
【００５８】
本基地局３００ｎは、下りリンク信号送信部３１２を有する。下りリンク信号送信部３１２は、指示部３０８と接続される。下りリンク信号送信部３１２は、指示部３０８による指示に従って、下りリンクの信号を送信する。
【００５９】
＜本基地局の動作＞
図４は本基地局の動作を示すためシーケンスチャートである。
【００６０】
本実施例では、一例として、ハンドオーバ元の基地局、換言すればソース基地局である基地局３００１から、ハンドオーバ先の基地局、換言すればターゲット基地局である基地局３００２へ、移動機１００をハンドオーバさせる処理が実行される場合について示す。
【００６１】
移動機１００は、基地局３００１に、「測定結果報告信号」を送信する（ステップＳ４０２）。
【００６２】
移動機１００から「測定結果報告信号」を受信した基地局３００１は、該「測定結果報告信号」に含まれる周波数測定結果に基づいて、基地局３００２に、該移動機１００をハンドオーバさせると決定する。該基地局３００１は、基地局３００２に、「ハンドオーバ要求信号」を送信する（ステップＳ４０４）。例えば、移動機１００からの「測定結果報告信号」は、基地局３００１の上りリンク信号受信部３１４により受信される。該上りリンク信号受信部３１４は、ハンドオーバ実行判定部３０６２に、該「測定結果報告信号」を入力する。ハンドオーバ実行判定部３０６２は、上りリンク信号受信部３１４により入力された「測定結果報告信号」に基づいて、該移動機１００をハンドオーバさせるべきかどうかを判定する。ハンドオーバ実行判定部３０６２は、ハンドオーバさせるべきであると判定した場合、指示部３０８に、「ハンドオーバ要求信号」を送信するように命令する。該「ハンドオーバ要求信号」は、上りリンク信号送信部３０４から、基地局３００２に送信される。
【００６３】
「ハンドオーバ要求信号」を受信した基地局３００２は、当該基地局３００２で再接続要求を受け付けるための情報（ターゲット基地局再接続設定情報）を生成する。該ターゲット設定情報は、基地局３００２に保持される（ステップＳ４０６）。例えば、基地局３００１からの「ハンドオーバ要求信号」は、基地局３００２の下りリンク信号受信部３０２により受信される。該下りリンク信号受信部３０２は、該「ハンドオーバ要求信号」をハンドオーバ処理部３０６８に入力する。ハンドオーバ処理部３０６８は、下りリンク受信部３０２から「ハンドオーバ要求信号」が入力されると、基地局３００２の設定情報に基づいて、ターゲット基地局再接続設定情報を生成する。例えば、ハンドオーバ処理部３０６８は、C-RNTIを含むターゲット基地局再接続設定情報を生成する。さらに、ハンドオーバ処理部３０６８は、PCIを含むターゲット基地局再接続設定情報を生成するようにしてもよい。さらに、ハンドオーバ処理部３０６８は、Short MAC-Iを含むターゲット基地局再接続設定情報を生成するようにしてもよい。該Short MAC-Iは、再接続を行うセルのIDと、C-RNTIと、PCIに基づいて計算される。
【００６４】
基地局３００２は、ターゲット基地局再接続設定情報をソース基地局３００１に通知する。例えば、基地局３００２は、「ハンドオーバ要求応答信号」に含めて、ソース基地局３００１に通知する（ステップＳ４０８）。例えば、ハンドオーバ処理部３０６８は、該ターゲット基地局再接続設定情報をソース基地局３００１に通知する。例えば、「ハンドオーバ要求信号」に対する応答信号である「ハンドオーバ要求応答信号」に含めて、例えば連結(Concatenation)して、ソース基地局３００１に通知するようにしてもよい。
【００６５】
基地局３００２から「ハンドオーバ要求応答信号」を受信した基地局３００１は、基地局３００２により通知されたターゲット基地局再接続設定情報を保持する（ステップＳ４１０）。例えば、ターゲット基地局再接続設定情報取得部３０６４は、「ハンドオーバ要求応答信号」に含まれるターゲット基地局再接続設定情報を取得し、設定情報管理部３１０に格納する。
【００６６】
基地局３００１は、移動機１００にハンドオーバ指示信号を送信する（ステップＳ４１２）。例えば、ターゲット基地局再接続設定情報取得部３０６４は、設定情報管理部３１０にターゲット基地局再接続設定情報を格納した後、指示部３０８に、移動機１００に「ハンドオーバ指示信号」を送信してもよいことを通知する。指示部３０８は、下りリンク信号送信部３１２から「ハンドオーバ指示信号」を送信するように指示する。
【００６７】
移動機１００は、基地局３００２に、「初回接続要求信号」を送信する（ステップＳ４１４）。
【００６８】
基地局３００２は、移動機１００からの「初回接続要求信号」に従って、初回接続処理を行う。該初回接続処理の終了後、該基地局３００２は、該移動機１００に、「初回接続応答信号」を送信する（ステップＳ４１６）。例えば、接続処理部３０６６は、上りリンク信号受信部３１４により入力された「初回接続要求信号」に従って、接続処理を行う。該接続処理部３０６６は、該接続処理の終了後に、「初回接続応答信号」を送信するように、指示部３０８に命令する。指示部３０８は、下りリンク信号送信部３１２から「初回接続応答信号」を送信する。
【００６９】
移動機１００は、基地局３００２から「初回接続応答信号」を受信した後に、無線品質の劣化を検出し、再接続処理を開始する。
【００７０】
移動機１００は、セル選択を実行する（ステップＳ４１８）。該セル選択の結果、基地局３００１を接続すべきセルと判定する。例えば、移動機１００は、基地局３００２に、「ハンドオーバ完了信号」を送信しても、該基地局３００２に受信されないと判定した場合、セル選択を実行してもよい。また、例えば、移動機１００は、基地局３００２に、「ハンドオーバ完了信号」を送信し、該基地局３００２に受信されなかった場合に、セル選択を実行してもよい。
【００７１】
移動機１００は、基地局３００１に、「初回接続要求信号」を送信する（ステップＳ４２０）。
【００７２】
基地局３００１は、移動機１００からの「初回接続要求信号」に従って、初回接続処理を行う。該初回接続処理の終了後、該移動機１００に、「初回接続応答信号」を送信する（ステップＳ４２２）。例えば、接続処理部３０６６は、上りリンク信号受信部３１４により入力された「初回接続要求信号」に従って、初回接続処理を行う。該接続処理部３０６６は、該接続処理の終了後に、「初回接続応答信号」を送信するように、指示部３０８に命令する。指示部３０８は、下りリンク信号送信部３１２から「初回接続応答信号」を送信する。
【００７３】
移動機１００は、基地局３００１に、「再接続要求信号」を送信する（ステップＳ４２４）。
【００７４】
基地局３００１は、移動機１００からの「再接続要求信号」に従って再接続処理を行う（ステップＳ４２６）。該基地局３００１は、該「再接続要求信号」に含まれる再接続設定情報が、当該基地局３００１により保持されているターゲット基地局再接続設定情報と同じであるため、該「再接続要求信号」を受付可能であると判定する。例えば、接続処理部３０６６は、移動機１００からの「再接続要求信号」に従って、設定情報管理部３１０に格納された再接続設定情報を利用して、該移動機との間で再接続処理を行う。例えば、接続処理部３０６６は、「再接続要求信号」に含まれる再接続設定情報が正しいかどうかを判定する。接続処理部３０６６は、設定情報管理部３１０で保持している再接続設定情報と「再接続要求信号」に含まれる再接続設定情報を比較し、正しいと判定した場合には再接続処理を行う。再接続設定情報が正しいと判定した場合には、移動機を特定できるためである。一方、接続処理部３０６６は、設定情報管理部３１０で保持している再接続設定情報と「再接続要求信号」に含まれる再接続設定情報を比較し、正しいと判定しない場合、換言すれば誤りと判定した場合には再接続処理を行わない。再接続設定情報が誤りと判定した場合には、移動機を特定できないためである。再接続処理を行わない場合には、再接続失敗となり、該呼は呼損をなる。
【００７５】
本実施例によれば、ターゲット基地局からソース基地局にターゲット基地局再接続設定情報を通知することにより、ソース基地局は、該ターゲット基地局再接続設定情報を保持でき、移動機は、ターゲット基地局との間で、初回接続が完了した場合であっても、ソース基地局との間で再接続を行うことができる。
【００７６】
＜変形例＞
＜無線通信システム＞
本変形例に従った基地局が適用される環境は、図１に示される環境と同様である。図１に示される環境と同様の環境であるため、説明を省略する。
【００７７】
移動機１００は、無線品質測定を行っており、他の基地局の無線品質がよいと判断した場合、通信中の基地局に「測定結果報告信号」を送信する。該基地局は、「測定結果報告信号」を受信すると、ハンドオーバ先の候補となる基地局に、「ハンドオーバ要求信号」を送信する。本変形例では、一例として、基地局３００１から、基地局３００３に、移動機がハンドオーバするように設定される場合について説明する。基地局３００１から、基地局３００３へのハンドオーバでは、基地局３００１と、基地局３００３は、異なるMMEと接続されるため、MMEを跨ってハンドオーバが行われる。異なるMMEに接続される基地局間のハンドオーバは、Ｓ１ハンドオーバとも呼ばれる。以下、基地局３００１を「ソース基地局３００１」と呼び、基地局３００３を「ターゲット基地局３００３」と呼ぶこともある。
【００７８】
ターゲット基地局３００３は、ソース基地局３００１から「ハンドオーバ要求信号」を受信すると、移動機１００からの再接続を受け付けるための再接続設定情報（ターゲット基地局再接続設定情報）を生成する。例えば、ソース基地局３００１により送信された「ハンドオーバ要求信号(Handover Required)」は、MME５００１からMME５００２に送信される。MME５００２は、ソース基地局３００１から「ハンドオーバ要求信号(Handover Required)」を、「ハンドオーバ要求信号(Handover Request)」として、基地局３００３に送信する。
【００７９】
該ターゲット基地局３００３は、ソース基地局３００１に、「ハンドオーバ要求応答信号」を送信する。該「ハンドオーバ要求応答信号」には、ターゲット基地局再接続設定情報が含まれる。該ターゲット基地局３００３は、ソース基地局３００１に、ターゲット基地局再接続設定情報を送信するようにしてもよい。該「ハンドオーバ要求応答信号」は、MME５００２からMME５００１に送信される。MME５００１は、該「ハンドオーバ要求応答信号」に含まれるターゲット基地局再接続設定情報を取得する。MME５００１は、該ターゲット基地局再接続設定情報を「ハンドオーバ命令信号」に含める。該「ハンドオーバ命令信号」は、ハンドオーバコマンド(Handover Command)と呼ばれることもある。MME５００１は、該「ハンドオーバ命令信号」を基地局３００１に送信する。
【００８０】
ソース基地局３００１は、MME５００１から「ハンドオーバ命令信号」を受信すると、該「ハンドオーバ命令信号」からターゲット基地局再接続設定情報を取得し、保持する。
【００８１】
移動機１００とターゲット基地局３００３との間で初回接続が完了する。該初回接続が完了した後に、該移動機１００は、無線品質が劣化したことを検出し、再接続を開始する。無線品質が劣化した場合、移動機１００がターゲット基地局３００３に「ハンドオーバ完了信号」を送信しても、該「ハンドオーバ完了信号」がターゲット基地局３００３に受信されないこともある。該移動機１００は、再接続を行うためのセル選択を実施する。該セル選択の結果、ソース基地局３００１を最適なセルと判断する。該移動機１００は、ソース基地局３００１に、「再接続要求信号」を送信する。該「再接続要求信号」には、ターゲット基地局再接続設定情報が含まれる。移動機１００とターゲット基地局３００３の間で初回接続が完了しているためである。
【００８２】
該ソース基地局３００１は、「再接続要求信号」に含まれるターゲット基地局再接続設定情報と、保持しているターゲット基地局再接続設定情報とを比較し、該比較結果に応じて処理を行う。該ソース基地局３００１は、「再接続要求信号」に含まれるターゲット基地局再接続設定情報が正しいと判定した場合、再接続処理を行う。ソース基地局３００１はターゲット基地局再接続設定情報を保持しているため、該ターゲット基地局再接続設定情報を利用して、再接続を実行することができる。
【００８３】
ターゲット基地局３００３からソース基地局３００１にターゲット基地局再接続設定情報を通知することにより、ソース基地局３００１は、該ターゲット基地局再接続設定情報を保持できる。該ソース基地局３００１が該ターゲット基地局再接続設定情報を保持できるため、移動機１００は、ターゲット基地局３００３との間で、初回接続が完了した場合であっても、ソース基地局３００１との間で再接続を行うことができる。
【００８４】
＜基地局＞
本変形例に従った基地局３００ｎは、図２を参照して説明した基地局により説明される。図２に示される基地局と制御部３０６に異なる機能がある。
【００８５】
図５は、制御部３０６の機能を示す。本変形例に従った基地局３００ｎは、ターゲット基地局再接続設定情報取得部３０６４の機能が上述した実施例と異なる。
【００８６】
ターゲット基地局再接続設定情報取得部３０６４には、「ハンドオーバ命令信号」が入力される。該「ハンドオーバ命令信号」は、「ハンドオーバ要求信号」に対する応答である。該「ハンドオーバ命令信号」には、ターゲット基地局再接続設定情報が含まれる。ターゲット基地局再接続設定情報取得部３０６４は、「ハンドオーバ命令信号」に含まれるターゲット基地局再接続設定情報を取得し、設定情報管理部３１０に格納する。ターゲット基地局再接続設定情報取得部３０６４は、設定情報管理部３１０にターゲット基地局再接続設定情報を格納した後、指示部３０８に、移動機１００に「ハンドオーバ指示信号」を送信してもよいことを通知する。
【００８７】
＜本基地局の動作＞
図６は本基地局の動作の一例を示すためシーケンスチャートである。
【００８８】
本変形例では、一例として、図１に示される環境において、ハンドオーバ元の基地局、換言すればソース基地局である基地局３００１から、ハンドオーバ先の基地局、換言すればターゲット基地局である基地局３００３へ、移動機１００をハンドオーバさせる処理が実行される場合について示す。図６では、説明の便宜のため、MME５００１と、MME５００２とをまとめてMME５００とする。MME５００１はソースMME、MME５００２はターゲットMMEと呼ばれてもよい。
【００８９】
移動機１００は、基地局３００１に、「測定結果報告信号」を送信する（ステップＳ６０２）。
【００９０】
移動機１００から「測定結果報告信号」を受信した基地局３００１は、該「測定結果報告信号」に含まれる周波数測定結果に基づいて、基地局３００３に、該移動機１００をハンドオーバさせると決定する。該基地局３００１は、基地局３００３に、「ハンドオーバ要求信号」を送信する（ステップＳ６０４、Ｓ６０６）。例えば、移動機１００からの「測定結果報告信号」は、基地局３００１の上りリンク信号受信部３１４により受信される。該上りリンク信号受信部３１４は、ハンドオーバ実行判定部３０６２に、該「測定結果報告信号」を入力する。ハンドオーバ実行判定部３０６２は、上りリンク信号受信部３１４により入力された「測定結果報告信号」に基づいて、該移動機１００をハンドオーバさせるべきかどうかを判定する。ハンドオーバ実行判定部３０６２は、ハンドオーバさせるべきであると判定した場合、指示部３０８に、「ハンドオーバ要求信号」を送信するように命令する。該「ハンドオーバ要求信号」は、上りリンク信号送信部３０４から、MME５００を介して、基地局３００３に送信される。
【００９１】
「ハンドオーバ要求信号」を受信した基地局３００３は、当該基地局３００３で再接続要求を受け付けるための情報（ターゲット基地局再接続設定情報）を生成する。該ターゲット設定情報は、基地局３００３に保持される（ステップＳ６０８）。例えば、基地局３００１からの「ハンドオーバ要求信号」は、基地局３００３の下りリンク信号受信部３０２により受信される。該下りリンク信号受信部３０２は、該「ハンドオーバ要求信号」をハンドオーバ処理部３０６８に入力する。ハンドオーバ処理部３０６８は、下りリンク受信部３０２から「ハンドオーバ要求信号」が入力されると、基地局３００３の設定情報に基づいて、ターゲット基地局再接続設定情報を生成する。例えば、ハンドオーバ処理部３０６８は、C-RNTIを含むターゲット基地局再接続設定情報を生成する。さらに、ハンドオーバ処理部３０６８は、PCIを含むターゲット基地局再接続設定情報を生成するようにしてもよい。さらに、ハンドオーバ処理部３０６８は、Short MAC-Iを含むターゲット基地局再接続設定情報を生成するようにしてもよい。該Short MAC-Iは、再接続を行うセルのIDと、C-RNTIと、PCIに基づいて計算される。
【００９２】
基地局３００３は、ターゲット基地局再接続設定情報をソース基地局３００１に通知する。例えば、基地局３００３は、「ハンドオーバ要求応答信号」に含めて、ソース基地局３００１に通知する（ステップＳ６１０）。例えば、ハンドオーバ処理部３０６８は、該ターゲット基地局再接続設定情報をソース基地局３００１に通知する。例えば、「ハンドオーバ要求信号」に対する応答信号である「ハンドオーバ要求応答信号」に含めて、ソース基地局３００１に通知するようにしてもよい。「ハンドオーバ要求応答信号」の情報要素には、ソース基地局３００１のみが参照できる情報を設定できる領域が含まれる。該領域にターゲット基地局再接続設定情報を含めてもよい。該領域は、ターゲットトゥソーストランスペアレントコンテナー(Target to Source Transparent Container)と呼ばれてもよい。
【００９３】
該「ハンドオーバ要求応答信号」は、MME５００に送信される。該MME５００は、該「ハンドオーバ要求応答信号」に含まれるターゲット基地局再接続設定情報を取得し、該取得したターゲット基地局再接続設定情報を「ハンドオーバ命令信号」に含めて、基地局３００１に送信する（ステップＳ６１２）。もし、前記ターゲットトゥソーストランスペアレントコンテナーにターゲット基地局再接続情報を含める場合、前記処理は不用となる。
【００９４】
基地局３００１は、基地局３００３により通知されたターゲット基地局再接続設定情報を保持する（ステップＳ６１４）。例えば、ターゲット基地局再接続設定情報取得部３０６４は、「ハンドオーバ命令信号」に含まれるターゲット基地局再接続設定情報を取得し、設定情報管理部３１０に格納する。
【００９５】
基地局３００１は、移動機１００に「ハンドオーバ指示信号」を送信する（ステップＳ６１６）。例えば、ターゲット基地局再接続設定情報取得部３０６４は、設定情報管理部３１０にターゲット基地局再接続設定情報を格納した後、指示部３０８に、移動機１００に「ハンドオーバ指示信号」を送信してもよいことを通知する。指示部３０８は、下りリンク信号送信部３１２から「ハンドオーバ指示信号」を送信するように指示する。
【００９６】
ステップＳ６１６以降の処理は、図４を参照して説明したステップＳ４１４−Ｓ４２６と同様である。
【００９７】
本変形例によれば、MMEを跨いだハンドオーバであっても、ターゲット基地局からソース基地局にターゲット基地局再接続設定情報を通知することにより、ソース基地局は、該ターゲット基地局再接続設定情報を保持でき、移動機は、ターゲット基地局との間で、初回接続が完了した場合であっても、ソース基地局との間で再接続を行うことができる。
【００９８】
本基地局は、
移動機との間で無線通信を行う基地局であって、
第１の基地局からハンドオーバを要求された場合に、前記移動機から再接続要求信号を受信した後に、該移動機を特定する際に使用すべき再接続設定情報を生成するハンドオーバ処理部としての、再接続設定情報生成部と、
該再接続設定情報生成部により生成された再接続要求信号を前記第１の基地局に送信するハンドオーバ処理部としての、送信部と、
前記移動機をハンドオーバさせるべき第２の基地局から、該第２の基地局が前記移動機から再接続要求信号を受信した後に、該移動機を特定する際に使用すべき再接続設定情報を受信する下りリンク信号受信部としての受信部と、
該受信部により受信された再接続設定情報を保持する設定情報管理部としての再接続設定情報保持部と、
前記第２の基地局との間で初回接続処理後の前記移動機からの再接続要求信号に従って、前記再接続設定情報保持部に保持された再接続設定情報を利用して、前記移動機との間で再接続処理を行う接続処理部としての再接続処理部と
を有する。
【００９９】
ソース基地局がターゲット基地局再接続設定情報を保持できるため、移動機は、ターゲット基地局との間で、初回接続が完了した後であっても、ソース基地局との間で再接続を行うことができる。
【０１００】
さらに、
前記第２の基地局は、前記再接続設定情報を含むハンドオーバ要求応答信号を送信し、
当該基地局は、
前記受信部により受信されたハンドオーバ要求応答信号に含まれる前記再接続設定情報を取得するターゲット基地局再接続設定情報取得部としての再接続設定情報取得部
を有し、
前記再接続設定情報保持部は、前記再接続設定情報取得部により取得された再接続設定情報を保持する。
【０１０１】
ハンドオーバ要求応答信号に、ターゲット基地局再接続設定情報を含めて送信できる。
【０１０２】
さらに、
前記再接続設定情報には、前記第２の基地局のセルIDと、前記第２の基地局が前記移動機に割り当てた識別子と、前記第２の基地局が前記移動機を識別するための識別情報とが含まれる。
【０１０３】
さらに、
前記移動機は、当該基地局に、前記第２の基地局のセルIDと、前記第２の基地局により割り当てられた識別子と、前記第２の基地局が当該移動機を識別するための識別情報とを含む再接続要求信号を送信し、
前記再接続処理部は、前記第２の基地局のセルIDと、前記識別子と、前記識別情報とが正しい場合に、再接続処理を行う。
【０１０４】
当該基地局に保持されたターゲット基地局再接続設定情報を利用して、移動機から送信された再接続要求信号が正しいかどうかを判定できる。
【０１０５】
本方法は、
移動機との間で無線通信を行う基地局における方法であって、
前記移動機をハンドオーバさせるべき他の基地局から、該他の基地局が前記移動機から再接続要求信号を受信した後に、該移動機を特定する際に使用すべき再接続設定情報を受信する受信ステップと、
該受信ステップにより受信された再接続設定情報を保持する再接続設定情報保持ステップと、
前記他の基地局との間で初回接続処理後の前記移動機からの再接続要求信号に従って、前記再接続設定情報保持ステップにより保持された再接続設定情報を利用して、前記移動機との間で再接続処理を行う再接続処理ステップと、
前記移動局をハンドオーバさせるためのハンドオーバ要求信号に従って設定した前記移動機との間で再接続処理を行う際に使用する再接続設定情報を、該ハンドオーバ要求信号送信した基地局に送信する再接続設定情報送信ステップと
を有する。
【０１０６】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０１０７】
１００  移動機
３００ｎ(ｎは、ｎ＞１の整数)  基地局
３０２  下りリンク信号受信部
３０４  上りリンク信号送信部
３０６  制御部
３０６２  ハンドオーバ実行判定部
３０６４  ターゲット基地局再接続設定情報取得部
３０６６  接続処理部
３０６８  ハンドオーバ処理部
３０８  指示部
３１０  設定情報管理部
３１２  下りリンク信号送信部
３１４  上りリンク信号受信部
３５０ｎ(ｎは、ｎ＞１の整数)  セル
５００ｍ（ｍは、ｍ＞０の整数）  モビリティマネジメントエンティティ(MME: Mobility Management Entity)
７００  コアネットワーク(CN: Core Network)
【図１】
0005357107.tif 000002
【図２】
0005357107.tif 000003
【図３】
0005357107.tif 000004
【図４】
0005357107.tif 000005
【図５】
0005357107.tif 000006
【図６】
0005357107.tif 000007